(57)【要約】【課題】ズーム位置毎の焦点距離情報を平易に表示可能な電子カメラおよび電子カメラの制御方法を提供する。【解決手段】電子カメラは、光学機構、第１検出手段、第２検出手段、および表示手段を有している。光学機構は、ズームレンズを有した光学ズーム装置、およびフォーカスレンズを有した光学焦点可変装置を有している。第１検出手段はズームレンズ位置を検出する。第２検出手段はフォーカスレンズの位置を検出する。  ズームレンズ位置に対する最近距離側から無限遠までのフォーカスレンズの動作可能範囲を焦点距離表示枠として表示手段に表示する。【選択図】      図１
2005084632.tif 000002
【特許請求の範囲】
【請求項１】
ズームレンズを有した光学ズーム装置、およびフォーカスレンズを有した光学焦点可変装置を有した光学機構と、
設定されたズーム倍率に応じて、それぞれに適応した最近距離側から無限遠までのフォーカスレンズの動作可能範囲を焦点距離イメージとして表示する表示手段と、を備えていることを特徴とする電子カメラ。
【請求項２】
ズームレンズを有した光学ズーム装置、およびフォーカスレンズを有した光学焦点可変装置を有した光学機構と、
内部テーブルと、
ズームレンズ位置に応じて変化するフォーカスレンズ位置情報に対する焦点距離情報を自動計算若しくは前記内部テーブルの情報に照らし合わせて取得する取得手段と、
前記焦点距離情報を用いて前記ズームレンズの位置情報に対する焦点距離の目安情報を取得し、取得した前記焦点距離の目安情報を表示する表示手段と、を有し、
前記表示手段は、ズームレンズ位置によって変えて表示することを特徴とする電子カメラ。
【請求項３】
光学ズーム装置、および光学焦点可変装置を有した光学機構と、入力手段と、シャッターボタンと、を備え、
前記入力手段は、前記シャッターボタンをハーフシャッタの押圧方法で押圧することにより、ズーム操作と、フォーカス操作と、に切替えることを特徴とする電子カメラ。
【請求項４】
光学ズーム装置、および光学焦点可変装置を有した光学機構と、入力手段と、シャッターボタンと、表示手段と、を備え、
前記入力手段は、前記シャッターボタンをハーフシャッタの押圧方法で押圧することにより、ズーム操作と、フォーカス操作と、の情報を前記表示手段に切替えて表示することを特徴とする電子カメラ。
【請求項５】
ズームレンズを有した光学ズーム装置、およびフォーカスレンズを有した光学焦点可変装置を有した光学機構と、表示手段と、を備えた電子カメラの制御方法において、
設定されたズーム倍率に応じて、それぞれに適応した最近距離側から無限遠までのフォーカスレンズの動作可能範囲を焦点距離イメージとして表示手段に表示することを特徴とする電子カメラの制御方法。
【請求項６】
ズームレンズを有した光学ズーム装置、およびフォーカスレンズを有した光学焦点可変装置を有した光学機構と、内部テーブルと、表示手段と、を有した電子カメラの制御方法において、
ズームレンズ位置に応じて変化するフォーカスレンズ位置情報に対する焦点距離情報を自動計算若しくは前記内部テーブルの情報に照らし合わせて取得し、
前記焦点距離情報を用いて前記ズームレンズの位置情報に対する焦点距離の目安情報を取得し、取得した前記焦点距離の目安情報を表示手段に表示し、
前記表示手段に表示する際、ズームレンズ位置によって変えて表示することを特徴とする電子カメラ。
【請求項７】
光学ズーム装置、および光学焦点可変装置を有した光学機構と、入力手段と、シャッターボタンと、を備えた電子カメラの製造方法において、
入力手段は、シャッターボタンをハーフシャッタの押圧方法で押圧することにより、ズーム操作とフォーカス操作とに切替えることを特徴とする電子カメラの制御方法。
【請求項８】
光学ズーム装置、および光学焦点可変装置を有した光学機構と、入力手段と、シャッターボタンと、表示手段と、を備えた電子カメラの制御方法において、
入力手段は、シャッターボタンをハーフシャッタの押圧方法で押圧することにより、ズーム操作とフォーカス操作との情報を表示手段に切替えて表示することを特徴とする電子カメラの制御方法。
【発明の詳細な説明】
【技術分野】
【０００１】
この発明は、電子カメラおよび電子カメラの制御方法に関する。
【背景技術】
【０００２】
近年、画像を撮影し、かつ撮影した画像を記録媒体に格納する電子カメラが開発されている。このような電子カメラは、ズームレンズ、フォーカスレンズ、電子ビューファインダ、画像表示部としての液晶パネル（ＬＣＤ）、および各種スイッチ類を含む。電子カメラの機能において、電子カメラは、自動的に焦点距離を合わせるオートフォーカス（ＡＦ）機能と、手動で焦点距離を合わせるマニュアルフォーカス機能（例えば、特許文献１参照）と、を備えている。倍率を変えて撮影する際、オートフォーカス機能、またはマニュアルフォーカス機能に設定して撮影される。
【０００３】
マニュアルフォーカス機能に設定して撮影する際、ＬＣＤの画面に、焦点距離ゲージおよび距離ガイドのスケールが固定して表示されている。ズームの位置において、通常、ＷＩＤＥ端（光学１倍ズーム側）はＴＥＬＥ端（光学高倍率ズーム側）と比較してより近距離側まで焦点を合わせることが可能である。このため、上記スケールの表示状態では、ＷＩＤＥ端の近距離側限界焦点距離を近距離側の限界位置として表示している。ここで、ＴＥＬＥ端側で焦点距離を表示すると、焦点距離ゲージの端が、上記の近距離側限界焦点距離とかけ離れて表示されてしまうる。
【０００４】
また、フォーカスレンズの特性から、フォーカスレンズ位置と焦点距離は比例関係にない（リニアにはならない）。このため、フォーカスレンズ移動量に対する焦点距離変化量は、無限遠側より近距離側の方が小さくなる。このことは、光学ズーム倍率が大きくなるほど顕著に現れる。
【特許文献１】特開２００２−５１２３９
【発明の開示】
【発明が解決しようとする課題】
【０００５】
上記した電子カメラにおいて、焦点距離ゲージを表示する際、近距離側の方をより多く表示する必要がある。この表示は、ＴＥＬＥ端として光学３倍ズーム程度あれば、撮影上では大きな課題とならない。
【０００６】
しかしながら、より高倍率の光学ズームレンズを使用した場合、ＴＥＬＥ端側において、焦点距離ゲージの３分の１のみしか使用しないという状態が考えられる。この場合、焦点距離ゲージの３分の２は未使用となるため、その表示効率が悪い。また、焦点距離ゲージによる焦点位置の確認が困難であり、使い勝手が悪い。  
この発明は以上の点に鑑みなされたもので、その目的は、ズーム位置毎の焦点距離情報を平易に表示可能な電子カメラおよび電子カメラの制御方法を提供することにある。
【課題を解決するための手段】
【０００７】
上記課題を解決するため、この発明の態様に係る電子カメラは、ズームレンズを有した光学ズーム装置、およびフォーカスレンズを有した光学焦点可変装置を有した光学機構と、前記ズームレンズ位置を検出する第１検出手段と、前記フォーカスレンズの位置を検出する第２検出手段と、前記ズームレンズの位置に対する最近距離側から無限遠までのフォーカスレンズの動作可能範囲を焦点距離イメージとして表示する表示手段と、を備えていることを特徴としている。
【０００８】
また、この発明の他の態様に係る電子カメラの制御方法は、ズームレンズを有した光学ズーム装置、およびフォーカスレンズを有した光学焦点可変装置を有した光学機構と、前記ズームレンズ位置を検出する第１検出手段と、前記フォーカスレンズの位置を検出する第２検出手段と、表示手段と、を備えた電子カメラの制御方法において、ズームレンズの位置に対する最近距離側から無限遠までのフォーカスレンズの動作可能範囲を焦点距離イメージとして表示手段に表示することを特徴としている。
【発明の効果】
【０００９】
この発明によれば、ズーム位置毎の焦点距離情報を平易に表示可能な電子カメラおよび電子カメラの制御方法を提供することができる。
【発明を実施するための最良の形態】
【００１０】
以下、図面を参照しながらこの発明の実施の形態に係る電子カメラおよび電子カメラの制御方法について詳細に説明する。  
図１ないし図３は本発明が適用された電子カメラの重要な動作を説明するために示したフローチャートである。しかし、電子カメラの全体的な理解を容易にするために図４（ａ）から説明する。
【００１１】
図４（ａ）は、この発明が適用された電子カメラを前方から示した斜視図である。図５は、この発明が適用された電子カメラを後方下部から示した斜視図である。電子カメラの本体に露出して設けられた各部の機能および名称は以下の通りである。
【００１２】
図４（ａ）において、１０１は、第１入力手段としてのシャッターボタン、１０２はモードダイヤル、１０３は電源スイッチである。シャッターボタン１０１は、このボタンを押圧する時間に応じたハーフシャッタとフルシャッタの２通りの押圧方法により押圧される。１０４は状況表示装置として用いられ、フロントＬＥＤと称される表示部である。１０５はフラッシュ、１０６はスピーカ、１０７はマイクである。さらに１０８はリモコン受光部、１０９はフラッシュ調光センサであり、１１０はレンズ系である。リモコン受信部１０８は、遠隔操作部として図示しないリモコンから出力される信号を受信するために設けられている。
【００１３】
さらに１１１はフラッシュオープンボタンである。１１２は端子カバーであり、このカバーを開いた個所に、外部入力マイク端子、デジタル端子、ＡＶ端子、ＤＣ入力端子が設けられている。
【００１４】
図４（ｂ）は、モードダイヤル１０２をさらに示している。モードダイヤル１０２には、設定される各種モードがわかり易いように、各種モードに対応したアイコンが示されている。Ａ１はマニュアル撮影モード（ホワイトバランス、露出、絞り、シャッター速度、などを手動で行う場合のモード）、Ａ２は動画モード（動画で撮影をおこなう場合のモード）、Ａ３はセットアップモード（電子カメラの基本設定（例えばサウンド／オートパワーオフ／カスタマイズ／言語／ビデオ出力／日時設定／システムを行うときにモード）を意味する。マニュアル撮影モードＡ１では、光学ズーム位置（以下、ズーム位置と称する）、およびズーム位置毎の焦点距離の決定を手動で行なうことができる。ここで、ズーム位置は撮影する際の倍率を示しており、この実施の形態において、ズーム位置は１倍ないし１０倍の範囲で変更可能である。
【００１５】
さらにＡ４は、ＰＣ（personal computer）モード（画像をパーソナルコンピュータに取り込む場合のモード）であり、Ａ５は再生モード、Ａ６はオート撮影モードを意味する。これらのアイコンを所定の回転位置に合わせることにより、カメラのモードを切替えることができる。
【００１６】
図５において、１２１は、フラッシュボタン、１２２はメニュー画面に移行するためのメニューボタン、１２３はセルフタイマー＆リモコンを設定するボタン、１２４は消去ボタン、１２５は視度調整ダイヤルである。また、１２６は電子ビューファインダであり液晶表示部である。また、１２７も液晶表示部であるがここは電子ビューファインダよりも画面が大きい。電子ビューファインダ（ＥＶＦ）と区別するために表示手段としての液晶パネルと称する。
【００１７】
１２８は、ファインダがオンしているかどうかを識別させるための表示部であり、ファインダＬＥＤ，１２９はショルダーストラップ取り付け部である。１３１は、第２入力手段として、ズームの度合いを設定するためのＴＥＬＥ／ＷＩＤＥボタンであり、１３２は、カードカバー、１３３はＯＫボタン、１３４は、項目や画像を選択するときの選択ボタン群である。なお、ＴＥＬＥ／ＷＩＤＥボタン１３１は、ボタンＷおよびボタンＴを含み、焦点距離を設定するためにも用いられる。１３５は、電池カバー、１３６は三脚用のねじ穴である。
【００１８】
１３７は、ディスプレイボタンであり、このボタンを押すことで液晶パネルとＥＶＦの表示状態を切替えることができる。またボタンを長めに押すと、スリーブモードになる。スリーブモードは電池消費削減のためである。通常、液晶パネルの画面は１．５インチから２．５インチサイズのものを使用し、ＥＶＦは覗き窓から覗いて見える小さいザイズが使用される。
【００１９】
図６は、電子カメラの光学系、および電気系のブロック構成を示す図である。電子カメラは、上述した液晶パネル１２７の他、レンズモジュール１、ＣＣＤ／ＣＤＳ／ＡＤ回路２、ＣＰＵ（central processing unit）３、メモリ回路４、不揮発性の記録媒体としてのメモリカード５、駆動回路（ＬＣＤ Driver）６、および入力手段としてのキー７を含む。ここで、メモリカード５は、電子カメラから着脱自在に設けられている。また、この実施の形態において、キー７は、上記した第１入力手段としてのシャッターボタン１０１および第２入力手段としてのＴＥＬＥ／ＷＩＤＥボタン１３１を含む。
【００２０】
レンズモジュール１は、光学機構１０を含み、この光学機構は、光学ズーム装置１１、および光学焦点可変装置１２を含む。光学ズーム装置１１は、複数のレンズからなるズームレンズ１３、および複数のレンズの間隔を変更可能なズームレンズ駆動手段としてのズームモータ１４を含む。光学ズーム装置１１は、焦点距離を変更できる。そのため、光学ズーム装置１１は、逐次ズーム位置（倍率）を変えた撮影を可能としている。
【００２１】
光学焦点可変装置１２は、フォーカスレンズ１５、およびフォーカスレンズ１５の位置を変更可能なフォーカスレンズ駆動手段としてのフォーカスモータ１６を含む。そのため、光学焦点可変装置１２は、焦点距離の設定を可能としている。ここで、ズームレンズ１３およびフォーカスレンズ１５は、上述したレンズ系１１０を構成している。ズームモータ１４およびフォーカスモータ１６は、ＣＰＵ３により制御され稼動している。
【００２２】
また、レンズモジュール１は、ズームレンズ１３の位置を検出する第１検出手段１７、およびフォーカスレンズ１５の位置を検出する第２検出手段１８も含む。第１検出手段１７がズームレンズ１３の位置の変化を検出した場合、第１検出手段１７は、ズームレンズ１３の位置情報をＣＰＵ３に伝送する。このため、ＣＰＵ３は、ズーム位置が１倍ないし１０倍のいずれかに変更したことがわかる。同様に、第２検出手段１８がフォーカスレンズ１５の位置の変化を検出した場合、第２検出手段１８は、フォーカスレンズ１５の位置情報をＣＰＵ３に伝送する。このため、ＣＰＵ３は、焦点距離が変化したことがわかる。
【００２３】
ＣＣＤ／ＣＤＳ／ＡＤ回路２は、電荷結合素子（以下、ＣＣＤと称する）２１、相関二重サンプリング回路（以下、ＣＤＳ回路と称する）２２、およびアナログ・デジタル変換器（以下、Ａ／Ｄ変換器と称する）２３を含む。ＣＤＳ回路２２は、ＣＣＤ２１から伝送される信号のノイズを除去するための回路である。
【００２４】
ＣＰＵ３は、信号処理部３１、情報（画像信号）を圧縮する処理回路としてのＪＰＥＧ圧縮処理回路３２、および画像表示処理部としてのＶｉｄｅｏ／ＯＳＤ回路３３を含む。Ｖｉｄｅｏ／ＯＳＤ回路３３は、画像（映像）信号を駆動回路６に伝送するとともに、ＯＳＤ（on screen display）としてのズーム位置や焦点距離を液晶パネル１２７の画面に表示する機能を有している。
【００２５】
次に、上記した電子カメラを用いて被写体を撮影する場合について説明する。  
まず、レンズモジュール１はその被写体像を取り込む。取り込まれた被写体像は、ＣＣＤ２１の結像面に結像される。この時、ＣＣＤ２１は、被写体像を電気的な画像信号に変換する。この画像信号はＣＤＳ回路２２を介してＡ／Ｄ変換器２３に伝送される。この時、Ａ／Ｄ変換器２３は画像信号をデジタル変換する。デジタル変換された画像信号は、信号処理部３１に伝送される。信号処理部３１において、ガンマ補正、色信号分離、およびホワイトバランス調整等が行なわれる。
【００２６】
通常の撮影状態でシャッターボタン１０１がフルシャッタの押圧方法で押圧されていないとき、信号処理部３１の画像信号は、メモリ回路４、Ｖｉｄｅｏ／ＯＳＤ回路３３、および駆動回路６を介して液晶パネル１２７に伝送される。これにより、レンズモジュールの取り込んだ被写体像は、液晶パネル１２７の画面に表示される。
【００２７】
シャッターボタン１０１がフルシャッタの押圧方法で押圧されたとき、信号処理部３１の画像信号は、ＪＰＥＧ圧縮処理回路３２、およびメモリ回路４を介してメモリカード５に伝送される。これにより、圧縮された画像信号としてメモリカード５に記録される。また、このとき、信号処理部３１の画像信号は、上記したように液晶パネル１２７に伝送され、被写体像が、液晶パネル１２７の画面に表示される。ここで、メモリカード５に記録された画像を液晶パネル１２７の画面に表示する場合について説明する。メモリカード５の圧縮された画像信号は、ＣＰＵ３の図示しない伸張処理部の制御の元で伸張処理された後、駆動回路６を介して液晶パネルに伝送される。これにより、メモリカード５に記録された画像信号は、画像として液晶パネル１２７の画面に表示される。
【００２８】
次に、上記した電子カメラを用いた撮影において、マニュアルフォーカス機能を設定して撮影する場合について説明する。まず、ズーム位置を設定するズーム操作について説明する。  
図７に示すように、ズーム位置を変更可能な状態になると、ＯＳＤ表示としてズームゲージＢが液晶パネル１２７の画面に表示される。ズームゲージＢはズーム位置を示している。ズームゲージＢにおいて、ＷＩＤＥ端Ｗは１倍のズーム位置を、ＴＥＬＥ端Ｔ側は１０倍のズーム位置を、それぞれ示している。
【００２９】
ズーム位置の変更は、キー７（図６）のＴＥＬＥ／ＷＩＤＥボタン１３１（図５）を押圧して行なう。ボタンＷを押圧することにより、ズーム位置が１倍に近づくよう移動する。また、ボタンＴを押圧することにより、ズーム位置が１０倍に近づくよう移動する。
【００３０】
ズーム位置を変更する際、変更したズーム位置の情報はＣＰＵ３に伝送され、続いてＶｉｄｅｏ／ＯＳＤ回路３３、および駆動回路６を介して液晶パネル１２７に伝送される。そして、ズーム位置が変更される過程の情報は、ズームゲージＢに表示される。
【００３１】
次いで、ズームゲージＢを詳細に説明する。  
図８に示すように、ズームゲージＢは、上述したズーム操作（光学ズーム操作）において１倍ないし１０倍のズーム位置（光学ズーム位置）を示す光学ズーム領域Ｒｏと、デジタルズームにおけるズーム範囲を示すデジタルズーム領域Ｒｄと、を含む。そのため、上記した説明において、ＴＥＬＥ端Ｔ側は１０倍のズーム位置（光学ズーム位置）を示すと説明したが、１０倍のズーム位置は境界部Ｐである。なお、デジタルズーム操作は、この発明の実施の形態に関与しないため、その説明は省略する。
【００３２】
次に、ズーム位置を設定した後に行なわれる焦点距離を設定するマニュアルフォーカス操作について説明する。  
図９に示すように、焦点距離を変更可能な状態になると、ＯＳＤ表示としてフォーカスゲージＣが液晶パネル１２７の画面に表示される。フォーカスゲージＣは焦点距離を示している。フォーカスゲージＣは、ズーム位置毎に最適な焦点距離範囲に設定される焦点距離イメージと、５ｍ、１．５（図９）等の焦点距離目安情報と、を含む。フォーカスゲージＣにおいて、無限遠端Ｉは焦点距離が無限遠であることを、近距離端Ｓは焦点距離が近距離であることを、それぞれ示している。
【００３３】
焦点距離の変更は、キー７（図６）の、ＴＥＬＥ／ＷＩＤＥボタン１３１（図５）を押圧して行なう。ボタンＷを押圧することにより、焦点位置が無限遠に近づくよう移動する。また、ボタンＴを押圧することにより、焦点距離が近距離に近づくよう移動する。ここで、上記したように、キー７のＴＥＬＥ／ＷＩＤＥボタン１３１は、ズーム操作およびマニュアルフォーカス操作の際に用いられる。このため、ＴＥＬＥ／ＷＩＤＥボタン１３１はズーム操作とマニュアルフォーカス操作とで切替えて用いられる。２つの操作を切替える際は、例えば、シャッターボタン１０１をハーフシャッタの押圧方法で押圧して切替えられる。
【００３４】
焦点距離を変更する際、変更した焦点距離の情報はＣＰＵ３に伝送され、続いてＶｉｄｅｏ／ＯＳＤ回路３３、および駆動回路６を介して液晶パネル１２７に伝送される。そして、焦点距離が変更される過程の情報は、フォーカスゲージＣを表示する。
【００３５】
上記したように、マニュアルフォーカスに設定して撮影する場合について説明した。そして、焦点距離を変更する場合、ズーム倍率毎に焦点距離の範囲（フォーカスレンズ１５の動作可能範囲）の目安情報が設定されている。この目安情報は、例えば、メモリ回路４に格納されている。次に、この目安情報について図１０を用いて説明する。
【００３６】
図１０では、横軸に１倍から１０倍までのズーム位置をとり、縦軸に無限遠から近距離側までの焦点距離（フォーカス位置）をとっている。ここで、ズーム位置毎に近距離側における最大の焦点距離が変化していることがわかる。すなわち、２倍のズーム位置では近距離側における最大の焦点距離（最近距離側）が９ｃｍに対し、１０倍のズーム位置ではそれが０．８ｍである。ここで、９ｃｍ、０．２ｍ、０．５ｍ、１．０ｍ、１．５ｍ、３ｍ、および５ｍの焦点距離を示す曲線はそれぞれ途切れている。上記したことは、任意のズーム位置において焦点が合わせられる焦点距離の曲線のみを示している。そのため、例えば、３倍のズーム位置において、焦点距離を９ｃｍおよび０．２ｍとして撮影することはない。上記したことは、焦点が合わないためである。そのため、９ｃｍおよび０．２ｍの焦点距離の曲線は３倍のズーム位置の手前で途切れている。
【００３７】
また、一例として、２倍のズーム位置に示した動作可能範囲Ｒｓは、２倍のズーム位置におけるフォーカスレンズ１５の動作可能範囲である。このため、この動作可能範囲Ｒｓにおいてフォーカスレンズ１５を移動することにより、９ｃｍから無限遠のいずれかに焦点距離が設定される。上記した目安情報（９ｃｍ、無限遠）はフォーカス操作する際、図９に示したフォーカスゲージＣに表示される。つまり、フォーカスゲージＣは、ズーム位置に対する焦点距離の値から焦点距離の目安が計算されて表示される。次に、ズーム位置に応じて表示されるフォーカスゲージＣについて説明する。
【００３８】
図１１（ａ）ないし図１１（ｆ）は、図１０に示した１倍、２倍、３倍、４倍、８倍、および１０倍のズーム位置にそれぞれ設定した場合に表示されるフォーカスゲージＣを示している。このため、この実施の形態において、フォーカスゲージＣは上述した焦点距離イメージを有している。ここで、焦点距離目安情報は、５ｍ、３ｍ等、ズーム位置毎に異なっている。このように、フォーカスゲージＣは、ズーム位置によって変化することがわかる。図９にも示したように、フォーカスゲージＣの左端は必ず無限遠を示す無限遠端Ｉであり、右端はそのズーム位置での近距離側における最大の焦点距離（最近距離側）を示す。
【００３９】
上記したことから、例えば、１倍のズーム位置における９ｃｍから無限遠までの焦点距離を示すフォーカスゲージＣと、１０のズーム位置における０．８ｍから無限遠までの焦点距離を示すフォーカスゲージと、を同じ長さで表示することができる。このため、ズーム位置毎に変化するフォーカスゲージの焦点距離イメージと目安情報とを無理なく、かつ効率良く表示することが可能である。これにより、フォーカスレンズ１５の動作可能範囲Ｒｓは視覚的に簡単に識別することができる。また、現在のおおよその焦点距離を視覚的に簡単に識別することができる。
【００４０】
図１および図２は、フォーカスゲージＣを表示する制御方法の一例のフローチャートを示している。  
まず、マニュアルフォーカス機能に設定した撮影がスタートすると（ステップＳ１ａ）、ハーフシャッタの押圧方法により、シャッターボタン１０１を押圧する。これにより、動作がズーム操作に切替えられる（ステップＳ２ａ）。ズーム操作に切替えられると、第１検出手段１７により、ズームレンズ１３の位置を検出する（ステップＳ３ａ）。そして、検出されたズームレンズ１３の位置に変化があるか判断する（ステップＳ４ａ）。
【００４１】
変化がある場合、内部テーブルとして、例えばメモリ回路４に予め格納されている情報から、ズーム位置でのフォーカスレンズ１５の動作可能範囲Ｒｓを取得する（ステップＳ５ａ）。これにより、液晶パネル１２７の画面に上記したフォーカスゲージＣの焦点距離イメージが表示される。ステップＳ４ａにおいて、変化がない場合、何もしない（ステップＳ６ａ）。ステップＳ５ａにおいて、動作可能範囲Ｒｓを取得すると、内部テーブルとして、例えばメモリ回路４に予め格納されている情報から、ズーム位置での焦点距離の目安情報を取得する（ステップＳ７ａ）。これにより、フォーカスゲージＣに焦点距離の目安情報がフォーカスゲージに表示される。
【００４２】
焦点距離の目安情報を取得すると、フォーカス位置に変化があるか判断する（ステップＳ８ａ）。変化がある場合、第２検出手段１８により、フォーカスレンズ１５の位置を検出する（ステップＳ９ａ）。このため、検出されたフォーカスレンズ１５の位置により、焦点距離の目安情報が新たに取得できる。ステップＳ９ａにおいてフォーカスレンズ１５の位置が検出された後、取得したレンズ動作可能範囲Ｒｓと、焦点距離の目安情報と、を用いてフォーカスゲージＣを表示手段としての液晶パネル１２７に表示する（ステップＳ１０ａ）。ステップ８ａにおいて、変化がない場合もステップＳ１０ａに移行する。これにより、マニュアルフォーカスに設定した場合の撮影が終了する（エンドＳ１１ａ）。
【００４３】
図３は、ズーム操作と、マニュアルフォーカス操作と、を切替える制御方法の一例のフローチャートを示している。  
まず、マニュアルフォーカス機能に設定した撮影がスタートすると（ステップＳ１ｂ）、ハーフシャッタとしてシャッターボタン１０１を押圧する（ステップＳ２ｂ）。続いて、フルシャッタとして撮影したか判断する（ステップＳ３ｂ）。フルシャッタにおいて撮影した場合、シャッターボタンは離され（ステップＳ５ｂ）、ズーム操作とフォーカス操作の切替えはしない（ステップＳ６ｂ）。
【００４４】
ステップＳ３ｂにおいて、フルシャッタで撮影しない場合、警告異常状態であるか判断する（ステップＳ４ｂ）。警告異常状態である場合、ステップＳ５ｂに移行する。ステップＳ４ｂにおいて、警告異常状態でない場合、ズーム操作と、フォーカス操作と、の操作モード切替えるか判断する（ステップＳ７ｂ）。モードを切替える場合、ステップＳ５ｂに移行する。ステップＳ７ｂにおいて、モードを切替えない場合、シャッターボタンを離す（ステップＳ８ｂ）。シャッターボタンを離すとズーム操作およびフォーカス操作に切替えられる（ステップＳ９ｂ）。また、ステップＳ９ｂにおいて、ズーム操作およびフォーカス操作に切替える際、表示手段としての液晶パネル１２７の画面を切替える
以上のように構成された、電子カメラおよび電子カメラの制御方法によれば、光学ズーム位置によって変化するフォーカス位置情報に対する焦点距離を自動的に取得し、焦点距離ゲージおよび焦点距離ガイドを自動的に変更する。また、光学ズーム位置毎に異なる焦点距離範囲から最適な焦点距離イメージと、焦点距離目安情報と、を表示できる。これにより、わかりやすい焦点距離情報が得られる。
【００４５】
キー７として、ＴＥＬＥ／ＷＩＤＥボタン１３１は、ズーム操作と、マニュアルフォーカス操作と、で共用できる。このためキー７数の削減が可能となる。また、ズーム操作と、マニュアルフォーカス操作と、を行なう撮影において、電子カメラを持ち替えることなく撮影できる。このため、使いやすさの向上を図ることができる。
【００４６】
なお、この発明は、上述した実施の形態に限定されることなく、この発明の範囲内で種々変形可能である。例えば、ズーム操作と、マニュアルフォーカス操作と、を同時に行なうことは多くないが、ズーム操作に用いるキー７と、マニュアルフォーカス操作に用いるキー７は独立しても良い。表示手段として液晶パネル１２７にフォーカスゲージＣ等を表示したが、電子ビューファインダ１２６に表示しても良い。上記した焦点距離イメージは、枠状に表示されても良い。
【図面の簡単な説明】
【００４７】
【図１】フォーカスゲージを表示する制御方法の一例を示すフローチャート。
【図２】図１に続く、フォーカスゲージを表示する制御方法の一例を示すフローチャート。
【図３】ズーム操作とフォーカス操作を切り替える制御方法の一例を示すフローチャート。
【図４】本発明の実施の形態に係る電子カメラを前方から示した斜視図と、その一部を平面的に示す図。
【図５】図４に示した電子カメラを後方下部から示す斜視図。
【図６】図４および図５に示した電子カメラの光学系、および電気系のブロック構成を示す図。
【図７】ズーム位置を設定する際のズームゲージの一例を示す図。
【図８】図７に示したズームゲージを詳細に示す図。
【図９】焦点を設定する際の焦点距離ゲージの一例を示す図。
【図１０】ズーム位置に対する焦点位置と焦点距離ゲージの一例を示す図。
【図１１】ズーム位置を変えた場合の、フォーカスゲージおよび距離ガイドを示す図。
【符号の説明】
【００４８】
１…レンズモジュール，２…ＣＣＤ／ＣＤＳ／ＡＤ回路，３…ＣＰＵ，４…メモリ回路，５…メモリカード，６…駆動回路，７…キー，１０…光学機構，１１…光学ズーム装置，１２…光学焦点可変装置，１３…ズームレンズ，１４…ズームモータ，１５…フォーカスレンズ，１６…フォーカスモータ，１７…第１検出手段，１８…第２検出手段，２１…ＣＣＤ，２２…ＣＤＳ，２３…Ａ／Ｄ変換器，３１…信号処理部，３２…ＪＰＥＧ，３３…Ｖｉｄｅｏ／ＯＣＤ回路，１０１…シャッターボタン，１０２…モードダイヤル，１０３…電源スイッチ，１２６…電子ビューファインダ，１２７…液晶パネル，１３１…ＴＥＬＥ／ＷＩＤＥボタン，１３３…ＯＫボタン，１３７…ディスプレイボタン，Ａ１…マニュアル撮影モード，Ｂ…ズームゲージ，Ｃ…フォーカスゲージ，ＲＳ…動作可能範囲。
【図１】
2005084632.tif 000003
【図２】
2005084632.tif 000004
【図３】
2005084632.tif 000005
【図４】
2005084632.tif 000006
【図５】
2005084632.tif 000007
【図６】
2005084632.tif 000008
【図７】
2005084632.tif 000009
【図８】
2005084632.tif 000010
【図９】
2005084632.tif 000011
【図１０】
2005084632.tif 000012
【図１１】
2005084632.tif 000013